【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
少なくとも１つの平板に形成された第１原材料ウエブ（２，６１）を給送するための第１給送装置（１２，１４；６２，６７）と、平板に形成された第２原材料ウエブ（３，３ａ，６５ａ）を第１超音波発振装置（１６；７０，７１）と少なくとも１つの第１対向部材（１０；７０，７１）との間の第１間隙（１５，６９）に給送するための第２給送装置（１３，１０；７３，６６）とを有し、第１間隙（１５，６９）において超音波により多層材料ウエブを結合する装置において、第２給送装置（１３，１０；７３，６６）によって給送される第２原材料ウエブ（３，６５）が賦形され、超音波発振装置（１６；７０，７１）によって第１原材料ウエブ（２，６１）に結合され、耐荷重性のある軽量構造になされることを特徴とする装置。
【請求項２】
前記多層材料ウエブが段ボール紙であることを特徴とする請求項１に記載の装置。
【請求項３】
第１の超音波発振装置（１６；７０，７１）が第１原材料ウエブ（２，６１）に隣接して配置され、対向部材（１０；７０，７１）が第２原材料ウエブ（３，３ａ；６５，６５ａ）に隣接して配置されていることを特徴とする請求項１又は２に記載の装置。
【請求項４】
第２給送装置（１３，１０；７３，６６）が、第２原材料ウエブ（３，６５）を賦形するための賦形ロール対（１０，１１；６６）を有していることを特徴とする請求項１，２又は３に記載の装置。
【請求項５】
賦形ロール対（１０，１１；６６）が２つの溝付ロールを有していることを特徴とする請求項４に記載の装置。
【請求項６】
賦形ロール対の第１賦形ロール（１０）が前記の対向部材として作用することを特徴とする請求項４又は５に記載の装置。
【請求項７】
第１賦形ロール（１０）の突出部又は頭頂部（２１）が超音波反射面又は超音波反射コーティング層を有しており、この反射面又は反射コーティング層が、少なくとも一部の超音波が第１超音波発振装置（１６）へ向けて反射するように特に構成されていることを特徴とする請求項４，５又は６に記載の装置。
【請求項８】
第１超音波発振装置（１６；７０，７１）に第１給電ユニット（２０，７２）が配属されており、この第１給電ユニットにより第１超音波発振装置（１６；７０，７１）へ時間的に変化可能の電力が供給されることを特徴とする請求項１〜７の何れか１つに記載の装置。
【請求項９】
電力変調の周期長（Ｐ）が第２原材料ウエブ（３，６５）のパターン変化の周期長（ｒ）と、間隙（１５，６９）及び／又は間隙幅調整（Ｈ）において第１賦形ロール（１０）を介して同期せしめられることを特徴とする請求項８に記載の装置。
【請求項１０】
賦形された第２原材料ウエブ（３）が第１原材料ウエブ（２）に接合したとき、及び／又は第１賦形ロール（１０）の１つの頭頂部が第１超音波発振装置（１６）に対向したときに、第１給電装置（２０）が最大出力を出すことを特徴とする請求項９に記載の装置。
【請求項１１】
うなりが周期長（Ｐ）及び／又は間隙幅調整（Ｈ）と重なり合うような超音波放射を行うために、第１超音波発振装置（１６；７０，７１）が第１給電装置（２０，７２）によって励振可能であることを特徴とする請求項１〜１０の何れか１つに記載の装置。
【請求項１２】
平板に形成された第３原材料ウエブ（４，５ａ，５，６３）を第１間隙（６９）又は第２間隙（４２，４２ａ，４２ｂ，５４）において特に第２原材料ウエブ（３）の面上に供給するための第３給送装置（４０，４１；５２，５０；６４，６８）が設けてあることを特徴とする請求項１〜１１の何れか１つに記載の装置。
【請求項１３】
材料ウエブ（２，３；６）を第３原材料ウエブ（４，５ａ，５）と結合するために、第２超音波発振装置（４３，５５）と第２対向部材（４４，４１，４８；５０）との間に第２間隙（４２，４２ａ，４２ｂ，５４）が設けてあることを特徴とする請求項１２に記載の装置。
【請求項１４】
第２超音波発振装置（４３）が第３原材料ウエブ（４）に隣接して配置され、第２対向部材（４４）が第１原材料ウエブ（２）に隣接して配置されていることを特徴とする請求項１〜１３の何れか１つに記載の装置。
【請求項１５】
第２対向部材（４４，４１，４８；５０）が、少なくとも一部の超音波を第２超音波発振装置（４３，５５）へ向けて反射させる少なくとも１つの超音波反射面を有していることを特徴とする請求項１〜１４の何れか１つに記載の装置。
【請求項１６】
少なくとも１つの超音波反射面がウエブ長さ方向及び／又はウエブ横断方向に凹状に形成されていることを特徴とする請求項１５に記載の装置。
【請求項１７】
少なくとも１つの凹所（４４１，２１１）が、超音波反射面の材料よりも超音波反射度の低い材料によって充填されていることを特徴とする請求項１５に記載の装置。
【請求項１８】
第２対向部材（４１，４８，５０）が第３のロール、特に賦形ロールであることを特徴とする請求項１〜１７の何れか１つに記載の装置。
【請求項１９】
第３ロール（４８）のパターン間隔が第２賦形原材料ウエブ（３）及び／又は第１賦形ロール（１０）のパターン間隔と一致していることを特徴とする請求項１８に記載の装置。
【請求項２０】
第２原材料ウエブ（３）が第３原材料ウエブ（４）に接合したときに第３ロール（４８）の頭頂部が第１原材料ウエブ（１）と対面するように、第３ロール（４８）の回転速度が材料ウエブ速度と同期していることを特徴とする請求項１〜１９の何れか１つに記載の装置。
【請求項２１】
第２超音波発振装置（４３，５５）に時間的変化可能の電力を供給可能な第２給電装置（４５，５６）が、第２超音波発振装置（４３，５５）に配属されていることを特徴とする請求項１〜２０の何れか１つに記載の装置。
【請求項２２】
賦形された第２原材料ウエブ（３）が第３原材料ウエブ（４）に接合したとき、及び／又は第３賦形ロール（４８）の突出部（２１）又は頭頂部が第２超音波発振装置（４３）に対向したときに、第２給電装置（４５，５６）が最大出力を出すことを特徴とする請求項２１に記載の装置。
【請求項２３】
うなりが周期長（Ｐ）及び／又は間隙幅調整（Ｈ）と重なり合うような超音波放射を行うために、第２超音波発振装置（４３，５５）が第２給電装置（４５，５６）によって励振可能であることを特徴とする請求項２１又は２２に記載の装置。
【請求項２４】
第２間隙（４２，５４）に入る前に第２原材料ウエブ（３）のパターンを検知する検出装置（４６）、及び第２給電装置（４５，５６）による時間的変調電力出力の同期及び／又は第３賦形ロール（４８）の回転の同期のための同期装置が設けてあることを特徴とする請求項１〜２３の何れか１つに記載の装置。
【請求項２５】
第１及び第２超音波発振装置（７０，７１）が並んで配置されていることを特徴とする請求項１〜２４の何れか１つに記載の装置。
【請求項２６】
第１及び／又は第２間隙幅（Ｈ，ｈ）を調節するための第１及び／又は第２調節ユニットが設けてあることを特徴とする請求項１〜２５の何れか１つに記載の装置。
【請求項２７】
第１及び／又は第２間隙幅（Ｈ，ｈ）は、第１及び／又は第２間隙（１５，４２，５４，６９）において少なくとも一時的に超音波共鳴が与えられるように選択されていることを特徴とする請求項１〜２６の何れか１つに記載の装置。
【請求項２８】
第１及び／又は第２間隙幅（Ｈ，ｈ）が、間隙（１５，４２，５４，６９）における超音波の四分の一波長（λ／４）の複数倍、特に半波長又はそれの複数倍であることを特徴とする請求項１〜２７の何れか１つに記載の装置。
【請求項２９】
第１及び／又は第２動作間隙（１５，４２，５４，６９）が実質的に少なくともウエブ全幅に亘って延びていることを特徴とする請求項１〜２８の何れか１つに記載の装置。
【請求項３０】
第１超音波発振装置（１６；７０，７１）により第１及び第２原材料ウエブ（２，３）が、及び／又は第２超音波発振装置（４３，５５）により、特に第１及び第２原材料ウエブ（２，３）より成る少なくとも２層の材料ウエブが、第３の原材料ウエブ（４）と広い面で連続的に相互に結合可能であり、又は材料ウエブ全体に分散した範囲（８０，８１）に亘って不連続的に互いに結合可能であることを特徴とする請求項２９に記載の装置。
【請求項３１】
第１、第２、及び／又は第３原材料ウエブ（２，３，３ａ，４，５ａ，５）へ液体、特に水又は水含有液体を施与するための施与装置（１７，１８，４７）が、第１、第２、及び／又は第３供給装置（１２，１４；１３，１０；４０，４１；５２，５０；６２，６７；７３，６６；６４，６８）に付設されていることを特徴とする請求項１〜３０の何れか１つに記載の装置。
【請求項３２】
液体が結合材、特に糊のような水溶性の結合材を含有していることを特徴とする請求項３１に記載の装置。
【請求項３３】
第１及び／又は第３原材料ウエブ（２，４）が被覆ウエブであり、第２原材料ウエブ（３，５）が波形ウエブ、特にダンボール紙製造のためのペーパーウエブであることを特徴とする請求項１〜３２の何れか１つに記載の装置。
【請求項３４】
請求項１〜３３の何れか１つに記載の装置のダンボール紙製造のための使用法。
【請求項３５】
第１被覆ウエブ（２）と波形ウエブ（３）、及び／又は第２被覆ウエブ（４）と波形ウエブ（３，５）とを結合するために結合剤、特に接着剤を使用しないことを特徴とする請求項３４に記載の使用法。
【請求項３６】
第１及び第２原材料ウエブが繊維片、特にセルロース繊維を含有し、及び／又は第２及び第３原材料ウエブが繊維片、特にセルロース繊維を含有する、材料ウエブ製造のための請求項１〜３３の何れか１つに記載の装置の使用法。
【請求項３７】
第１及び第２原材料ウエブ及び／又は第２及び第３原材料ウエブが熱可塑性合成樹脂成分を含んでいる請求項３６に記載の使用法。
【請求項３８】
少なくとも１つの平板に形成された第１原材料ウエブ（２，６１）及び平板に形成された第２原材料ウエブ（３，３ａ，６５ａ）を第１間隙（１５，６９）において超音波発振装置（１６；７０，７１）に供給し、超音波によって多層材料ウエブを結合する方法において、第２原材料ウエブ（３，６５）が賦形され、続いて超音波発振装置（１６；７０，７１）により第１原材料ウエブ（２，６１）と結合して耐久性のある軽量構造にすることを特徴とする方法。
【請求項３９】
賦形された第２原材料ウエブ（３，６５）が第２超音波発振装置（４３，５５）によって第３原材料ウエブ（４）と結合されることを特徴とする請求項３８に記載の方法。
【請求項４０】
第１及び／又は第２及び／又は第３原材料ウエブ（２，６１；３，６５；４）として紙及び／又はボール紙が使用されることを特徴とする請求項３８又は３９に記載の方法。